(57)【要約】【課題】使い捨て箸又は再使用できる箸を繋ぐことが可能な箸ペンを提供する。【解決手段】ペン軸１０の内部は中空体１１であり、ペンの芯１２を収納することができる。書く機能を持つペン先１３およびペン先１３に対応する端にペン尻１５が形成される。ワンタッチジョイント２０は、その上端に凹溝２２を有し、ペン軸１０のペン先１３又はペン尻１５のうちの任意の一端を固定することができる。ワンタッチジョイント２０の底端は箸をワンタッチで繋ぐことのできる差込穴２３を有する。これにより筆記具としても箸としても使用することができる。【選択図】図２
0003143929.tif 000002
【実用新案登録請求の範囲】
【請求項１】
ペン先および前記ペン先と対応するもう一方の端にペン尻を有し、内部が中空体であるペン軸と、
前記中空体に収納されるペンの芯と、
前記ペン先又は前記ペン尻の一端を固定する凹溝を上端に有し、底端にワンタッチで箸を繋ぐ差込穴を有するワンタッチジョイントと、
を備え、
筆記具としても箸としても使用することを特徴とする箸ペン。
【請求項２】
前記ペン軸は、前記ペン尻を前記ワンタッチジョイントの前記凹溝にはめ込み固定し、前記ペン先の上にペンキャップを設けることを特徴とする請求項１に記載の箸ペン。
【請求項３】
前記ワンタッチジョイントは、
前記ペン尻を連結して固定する凹溝を上端に設け、底部に口が下を向いた差込穴を設けるジョイント本体と、
前記ジョイント本体の外周縁の一部分に設けられ、内縁と前記ジョイント本体の外周縁のへこみ面との間に第一スプリングを設ける外環カバーと、
前記差込穴内に設けられる少なくとも１個のストッパーエレメントと、
前記差込穴の外周壁にはめ込まれ、前記外環カバーの下端に用いられるストッパーと、
を有することを特徴とする請求項１に記載の箸ペン。
【請求項４】
前記差込穴内の底面は、更に第二スプリングを有し、前記第二スプリングの自由端はばね頂部を有することを特徴とする請求項３に記載の箸ペン。
【請求項５】
前記ストッパーエレメントはボールを有し、前記ボールは前記ジョイント本体の壁面の取付穴の内部に取り付けられ、前記取付穴は外が広く中が狭く、前記ボールは前記差込穴において１／２より小さい部分が突出しており、前記外環カバー内縁面が前記取付穴の外側面に対応して前記ボールを押す凸面を有し、前記ボールを前記差込穴内の箸に止めることを特徴とする請求項３に記載の箸ペン。
【請求項６】
前記箸は、前記差込穴内の前記ボールの位置において、位置決め部を有することを特徴とする請求項５に記載の箸ペン。
【請求項７】
前記箸は、使い捨て箸および再使用できる箸のいずれか一つによって構成されることを特徴とする請求項１または６に記載の箸ペン。
【請求項８】
前記ペン軸は、前記ペン先に前記ペンキャップを設けた後、前記ワンタッチジョイントの前記凹溝に固定され、前記ペン尻は口を有し、前記中空体は短く再使用できる箸を収納し、前記口上にフタを有することを特徴とする請求項１に記載の箸ペン。
【請求項９】
前記再使用できる箸は、プラスチックおよび金属のいずれか一つ又はその組み合わせで構成されることを特徴とする請求項８に記載の箸ペン。
【考案の詳細な説明】
【技術分野】
【０００１】
本考案は、ペンに関し、特に使い捨て箸、又は再使用できる箸と繋ぐことのできる箸ペンに関する
【背景技術】
【０００２】
竹箸又は木箸の製造には大量の樹木の伐採が必要であり、そのため、地球上の森林面積が早いスピードで減少し、地球環境および気候に対して大きな影響を及ぼしている。このため、省エネルギーおよび排出削減を広めるのは地球環境の保護の有効な方法の一つである。いかにして省エネルギーおよび排出削減の成果を顕著に上げるかを政府および企業に任せるだけでは足りず、我々の日常生活のさまざまな小さな所から省エネルギーおよび排出削減を行っていくことで、さらにより大きな成果を得ることができる。つまり、各個人が自分から行い、小さい所から始めるという概念が必要なのである。
【０００３】
使い捨て箸を例に取ると、使い捨て箸は、その使用において利便性と衛生性があるが、一度使ったらすぐ捨てるのは環境保全に適っていない。特に外食人口の急速な増加に伴い、使い捨て箸の使用量が大幅に上昇している。そのため、竹や木の伐採が大きく増加し、環境への影響を無視することができなくなった。
また、現在一般的に使用される使い捨て箸は、その全長は約１７ｃｍであるが、実際に食物と接触する部分は約５ｃｍであり、握り部分は約１２ｃｍである。そのため、目に見えない所で多くの無駄が生じている。
【０００４】
しかしながら、上述の理屈を理解していても、外食する者の立場で最も重要なことは、自分にとって便利であればあるほどよいということである。従って、外食する者が約１７ｃｍの箸を身につけるというのは、携帯上の不便さや悩みが生じ易い。しかし、もし箸の長さをいくらか修正することができるのであれば、携帯に不便であるといった問題を改善することができる。例えば、一般的に箸が実際の食物と接触する部分は約５ｃｍの部分であり、我々が元の約１７ｃｍの長さを約８ｃｍまで修正しさえすれば、箸が長すぎて携帯に不便であるといった問題を改善することができる。
【０００５】
さらに、日頃は筆記具を身につけていることが多いので、もしこれら二つをひとつに結びつけることができれば、携帯に便利であるだけでなく、使用の簡便さを増すことができる。
そこで、いかに箸と筆記具を結びつけて一緒に使用し、携帯および使用が便利になるかが、本考案が解決しようとする課題である。
【考案の開示】
【考案が解決しようとする課題】
【０００６】
本考案の主な目的は、ワンタッチで使い捨て箸又は再使用可能な箸を繋ぐことが可能な箸ペンを提供することである。
本考案のもうひとつの目的は、ペン軸内の中空体はプラスチック又は金属箸を収納することができ、筆記具と共に便利に携帯可能な箸ペンを提供することである。
本考案の更にもうひとつの目的は、箸の取外し取付けが簡便な箸ペンを提供することである。
【課題を解決するための手段】
【０００７】
上述の目的を達するため、本考案が採用する技術は以下の通りである。
ペン軸は、その内部は中空体であり、ペンの芯を収納することができ、書く機能を持つペン先および対応端にペン尻が形成される。ワンタッチジョイントは、その上端に凹溝を有し、前記ペン軸のペン先又はペン尻のうちの任意の一端を固定することができ、前記ワンタッチジョイントの底端はワンタッチで繋ぐことのできる箸エンドの挟持差込穴を有し、これにより筆記具として、また箸として使用することができる。
本考案の箸ペンによると、省エネルギーおよび排出削減の目的を達し、且つ前記ペン軸内の中空体はプラスチック又は金属箸を収納することができる。本考案の箸ペンは、筆記具として便利に携帯できる新しい構成のものである。
【考案を実施するための最良の形態】
【０００８】
以下、本考案の実施形態を図面に基づいて説明する。
（第１実施形態）
図１から図５に示すのは、本考案の第１実施形態による箸ペンであり、以下を備える。
ペン軸１０は、内部が中空体１１である。ペン軸１０は、ペンの芯１２を収納し、書く機能を持つペン先１３および対応端のペン尻１５が形成される。
ワンタッチジョイント２０は、その上端に凹溝２２を有し、ペン軸１０のペン先１３又はペン尻１５のうち任意の一端を固定することができる。ワンタッチジョイント２０の底端はワンタッチで繋ぐことのできる箸３０のエンド３１の差込穴２３を有する。これにより筆記具として、また箸として使用することができる。
【０００９】
ペン軸１０はペン尻１５でワンタッチジョイント２０の凹溝２２にはめ込み固定され、且つペン先１３上にペンキャップ１４を設けるものを含む。
上記を受けて、本考案の実施形態のワンタッチジョイント２０は以下を有する。
ジョイント本体２１は、その上端は凹溝２２でありペン軸１０のペン尻１５と連結固定し、且つ底部は口が下を向いた差込穴２３を有する。
【００１０】
外環カバー２５は、ジョイント本体２１の外周の縁の一部分に設けられ、且つその内縁とジョイント本体２１の外周の縁のへこみ面との間に、第一スプリング２４を設ける。
少なくとも１個のストッパーエレメント２７は、差込穴２３内に設けられる。
ストッパー２８は、差込穴２３の外周壁にはめ込まれ、外環カバー２５の下端に用いられる。
【００１１】
また、差込穴２３内の底面は、更に第二スプリング２９を有する。第二スプリング２９の自由端は、ばね頂部２９１を有する。
更に、ストッパーエレメント２７はボールを有し、それはジョイント本体２１の壁面の取付穴２６内に取り付けられる。取付穴２６は外が広く中が狭く、ストッパーエレメント２７のボールは、球体の１／２より小さい部分が差込穴２３で突出している。また、外環カバー２５の内縁面は、取付穴２６の外側面に対応してストッパーエレメント２７のボールを押す凸面２５１を有し、ストッパーエレメント２７のボールによって差込穴２３内の箸３０を止める。箸３０のうち使い捨て箸３０Ａは、差込穴２３内のストッパーエレメント２７のボールの位置において、前記ボールが入り込む凹溝である位置決め部３２を有する。
【００１２】
食事をするときは、使い捨て箸３０Ａのエンド３１をペン尻１５又はペンキャップ１４のワンタッチジョイント２０に挿入する。そして、ばね頂部２９１を上昇させる。このとき、ワンタッチジョイント２０のストッパーエレメント２７のボールは内へ向かって転がり、使い捨て箸３０Ａを位置決め部３２で止め、ワンタッチで位置決めして使い捨て箸３０Ａを繋ぐことができる。このとき、外環カバー２５は第一スプリング２４の推す力を受けて下へ向かって移動する。また、その凸面２５１によりストッパーエレメント２７のボールを抑えつけ、きちんと固定され脱落することのない効果を有する。
【００１３】
食事に使用した後は、ワンタッチジョイント２０中の外環カバー２５を上へ移動させ、凸面２５１をボール２７から離す。このとき、ストッパーエレメント２７のボールが自動的に外に向かって転がり、同時に使い捨て箸３０Ａが第二スプリング２９およびばね頂部２９１の反作用の力を受けて弾け開き、ワンタッチでワンタッチジョイント２０と分離する。この後、使い捨て箸３０Ａを捨てることができ、一般の筆記具としての使用できる状態にもどすことができる。このとき、ばね頂部２９１は、またストッパーエレメント２７のボールの位置に戻り、使い捨て箸３０Ａを次に使用する時の挿入を便利にしている。
【００１４】
（第２実施形態）
本考案の第２実施形態による箸ペンを示す模式図を図６および図７に示す。ペン軸１０はペン先１３にペンキャップ１４を設けた後、ワンタッチジョイント２０の凹溝２２に固定される。ペン尻１５は口１６を有する。中空体１１は短く、再使用可能な箸３０Ｂを収納する。また、口１６上にフタ１７を設ける。再使用可能な箸３０Ｂは、プラスチックおよび金属のいずれか一つ又はその組み合わせで構成される。
食事をするときは、再使用可能な箸３０Ｂを取り出し、ペン尻１５又はペンキャップ１４のワンタッチジョイント２０にワンタッチで組み付け、すぐに使用することができる。食事が終わった後は、再使用可能な箸３０Ｂを洗った後、ペン軸１０内の中空体１１に収納することができる。
【００１５】
これにより、本考案の箸ペンの特徴は以下の通りである。
（１）ワンタッチで使い捨て箸又は再使用可能な箸と繋ぐことができ、省エネルギーおよび排出削減のエコロジー効果を有する。
（２）一般筆記具と、使い捨て箸又は再使用可能な箸を結びつけて使用し、携帯および使用に便利である。
【００１６】
上記に述べたように、本考案の掲示する構成は、新規性を有し、且つ確実に効果の増進ができ、産業利用性も備えるものである。
しかし、上述に指摘する図、説明は、ただ本考案の好ましい実施形態であり、おおよそこの技術に通じているものが、本考案の精神の範疇で行う修飾や等量変化は、本実用新案登録請求の範囲内に包含するべきである。
【図面の簡単な説明】
【００１７】
【図１】本考案の第１実施形態による箸ペンを示す分解斜視図。
【図２】本考案の第１実施形態による箸ペンの構造を示す部分断面図。
【図３】本考案の第１実施形態による箸ペンの使用状態を示す部分断面図。
【図４】本考案の第１実施形態による箸ペンの使用状態を示す部分断面図。
【図５】本考案の第１実施形態による箸ペンの使用状態を示す部分断面図。
【図６】本考案の第２実施形態による箸ペンの使用状態を示す部分断面図。
【図７】本考案の第２実施形態による箸ペンの使用状態を示す部分断面図。
【符号の説明】
【００１８】
１０：ペン軸、１１：中空体、１２：ペンの芯、１３：ペン先、１４：ペンキャップ、１５：ペン尻、１６：口、１７：フタ、２０：ワンタッチジョイント、２１ジョイント本体、２２：凹溝、２３：差込穴、２４：第一スプリング、２５：外環カバー、２５１：凸面、２６：取付穴、２７：ストッパーエレメント、２８：ストッパー、２９：第二スプリング、２９１：ばね頂部、３０：箸、３０Ａ：使い捨て箸、３０Ｂ：再使用可能な箸、３１：エンド、３２：位置決め部
【図１】
0003143929.tif 000003
【図２】
0003143929.tif 000004
【図３】
0003143929.tif 000005
【図４】
0003143929.tif 000006
【図５】
0003143929.tif 000007
【図６】
0003143929.tif 000008
【図７】
0003143929.tif 000009